(57)【要約】      （修正有）【課題】衣服側の取付孔の内径と、取付孔内に取り付けられる送風装置の外径とがほぼ同様であり、取付孔の内周付近と、送風装置の外周部分との間における外気の漏れを確実に抑制できる空調衣服用送風装置及び空調衣服を提供する。【解決手段】空調衣服用送風装置１０は、モータＭおよびモータにより回転する羽根（ファン）１８を内設した内側筒体部１１と、該内側筒体部の外側に取り付けられ、外気導入用の吸気孔４９を有し且つ外周面に径方向に突出するフランジ４２を有する外側筒体部４０と、全体が円環状を呈し且つ内側筒体１１の外周面にネジ結合されるリング体５０とを備え、内側筒体部とリング体とのネジ結合は、２条ネジ（多条ネジ）１３，５３によって成されている。【選択図】図２
0003217531.tif 000002
【実用新案登録請求の範囲】
【請求項１】
空調衣服(１)の内側に外気を送風して着用者の発汗を抑制するための空調衣服用送風装置(１０)であって、
モータ(Ｍ)および該モータ(Ｍ)により回転するファン(１８)を内設した内側筒体部(１１)と、
上記内側筒体部(１１)の外側に取り付けられ、外気導入用の吸気孔(４９)を有し且つ外周面に径方向に突出するフランジ(４２)を有する外側筒体部(４０)と、
全体が円環状を呈し且つ上記内側筒体部(１１)の外周面にネジ結合されるリング体(５０)と、を備え、
上記内側筒体部(１１)と上記リング体(５０)とのネジ結合は、２条以上の多条ネジ(１３，５３)によって成されている、
ことを特徴とする空調衣服用送風装置(１０)。
【請求項２】
前記リング体(５０)は、軸方向に沿った断面が互いに離れた一対のＬ字形状を呈し、円筒形のリング本体(５２)の内周面(５４)に前記多条ネジ(５３)のネジ山およびネジ谷が刻設されていると共に、前記外側筒体部(４０)のフランジ(４２)と前記衣服(１)に穿設した取付孔(９)の内周縁を挟む径方向に沿った円環片(５１)における前記フランジ(４２)と対向する環状面には、前記ネジ結合の際にネジ込む方向に沿って傾斜し且つ連続した複数の凹凸条(５６)が円環状に形成されている、
ことを特徴とする請求項１に記載の空調衣服用送風装置(１０)。
【請求項３】
前記外側筒体部(４０)のフランジ(４２)における外周縁には、該外周縁の円周方向に複数の凸部(４３)が突設され、該凸部(４３)の外形は、該外側筒体(４０)の軸方向に沿った視覚において、一対の鈍角の角部(４４)と、該一対の鈍角の角部(４４)同士の間に位置し、且つ上記フランジ(４２)の中心側に凸となるアール辺(４５)とを有している、
ことを特徴とする請求項１または２に記載の空調衣服用送風装置(１０)。
【請求項４】
前記外側筒体部(４０)は、前記内側筒体部(１１)に内設された前記ファン(１８)のスピナー(１６)との間に空間(ｓ)を介して離間した頂部(４６)と、該頂部(４６)から上記内側筒体部(１１)の外側に固定される筒周部(４１)と、該筒周部(４１)と前記頂部(４６)との間を接続し且つ複数の吸気孔(４９)を有する外格子状部(４７，４８)とを備えており、上記頂部(４６)を含む外格子状部(４７，４８)は、当該外側筒体部(４０)の径方向に沿った視覚が円錐形状あるいは富士山形状を呈する、
ことを特徴とする請求項１乃至３の何れか一項に記載の空調衣服用送風装置(１０)。
【請求項５】
前記外側筒体部(５０)の頂部(４６)と前記ファン(１８)のスピナー(１６)の先端面との間に位置する空間(ｓ)は、軸方向の距離(Ｌ)が少なくとも５ｍｍ以上である、
ことを特徴とする請求項４に記載の空調衣服用送風装置(１０)。
【請求項６】
前記内側筒体部(１１)は、全体がドーム形状を呈し、該ドーム形状の頂部(２４)と前記多条ネジ(１３)が外側面に刻設された筒周部(１２)との間に、複数の送気孔(２２)を有する内格子状部(２０，２１)を有し、且つ前記頂部(２４)の内側に軸方向に沿って形成された前記モータ(Ｍ)の収納部(１４)とを有すると共に、該収納部(１４)から径方向に延びた給電用のコネクタ(２９)の外側に隣接するように、上記頂部(２４)から径方向沿ってガード片(２６)が延びている、
ことを特徴とする請求項１乃至５の何れか一項に記載の空調衣服用送風装置(１０)。
【請求項７】
請求項１乃至６の何れか一項に記載の空調衣服用送風装置(１０)を、前記空調衣服(１)の布地(８)に設けた前記取付孔(９)に取り付けてなる、
ことを特徴とする空調衣服(１)。
【考案の詳細な説明】
【技術分野】
【０００１】
本考案は、夏季や高温環境下などにおいて各種の作業を行う作業者が着用する衣服の内側に外気を送風して、着用する作業者の発汗を抑制するための空調衣服用送風装置、およびこれを用いた空調衣服に関する。
【背景技術】
【０００２】
例えば、衣服の背中側に外気を前記衣服の内側に送給する風発生手段を装着するための取付孔を形成し、該取付孔の直径（内径）を前記風発生手段における当該取付孔の内縁に接する外周側の外径よりも小さくして、上記取付孔内に上記風発生手段を押し込んだ際に、該風発生手段が前記取付孔の内縁から押圧される冷却衣服が提案されている（例えば、特許文献１参照）。
上記冷却衣服によれば、前記風発生手段の外周側と、前記衣服の取付孔の内縁との間において、外気の不用意な漏れによる流入を抑制し易くなるため、着用者の身体を効率的に冷却することが可能となる。
【０００３】
しかし、前記冷却衣服のように、前記取付孔の内径を前記風発生手段の外径よりも小さくした場合、両者間の寸法差により生じる前記衣服における円環形状の布地部分を収容する空間部分が設けられていない場合、種々の変形を伴う前記布地部分により、却って前記風発生手段の外周側と、前記衣服の取付孔の内縁との間における外気の不用意な流入漏れを招くおそれがあった。
しかも、前記風発生手段を前記衣服の取付孔内に装着するには、該風発生手段から径方向に突出したフランジと、別体の固定リングとの間に、前記衣服の取付孔の内縁を挟み込めるように、例えば、上記風発生手段の外周側と、上記固定リングの内周側とをネジにより連結するなどの結合手段を設ける必要がある。しかし、前述した前記余剰となる円環形状の布地部分が存在することも相まって、上記ネジ結合などを簡単且つ迅速に行うことは、着用者には相当な困難であった。
【先行技術文献】
【特許文献】
【０００４】
【特許文献１】特許第６２２６２１４号公報（第１〜１０頁、図１〜５）
【考案の概要】
【考案が解決しようとする課題】
【０００５】
本考案は、背景技術で説明した問題点を解決し、衣服側の取付孔の内径と、該取付孔内に取付られる送風装置の外径とがほぼ同様であれば、前記取付孔の内周付近と、前記送風装置の外周部分との間における外気の流入漏れを確実に抑制できると共に、前記送風装置を上記取付孔の内側に簡単且つ迅速に固定できる空調衣服用送風装置、およびこれを用いた空調衣服を提供する、ことを課題とする。
【課題を解決するための手段および考案の効果】
【０００６】
本考案は、前記課題を解決するため、前記送風装置において、フランジを有する外側筒体部を固定した内側筒体部の外周面と、前記外側筒体部を包囲するリング体の内周面とに対し、互いにネジ結合する２条以上の多条ネジを刻設する、ことに着想して成されたものである。
即ち、本考案の空調衣服用送風装置（請求項１）は、空調衣服の内側に外気を送風して着用者の発汗を抑制するための空調衣服用送風装置であって、モータおよび該モータにより回転するファンを内設した内側筒体部と、該内側筒体部の外側に取り付けられ、外気導入用の吸気孔を有し且つ外周面に径方向に突出するフランジを有する外側筒体部と、全体が円環状を呈し且つ上記内側筒体の外周面にネジ結合されるリング体と、を備え、上記内側筒体部と前記リング体とのネジ結合は、２条以上の多条ネジによって成されている、ことを特徴とする。
【０００７】
前記空調衣服用送風装置によれば、以下の効果（１）を得ることができる。
（１）径方向に突出したフランジを含む前記外側筒体部を、内側に挿入して固定した前記内側筒体部の外周面と、該内側筒体部の外周面を囲む前記リング体の内周面とに対し、互いにネジ結合する２条以上の多条ネジが刻設されている。そのため、夏季などの屋外における炎天下や製鋼工場などの高温環境下などにおいて、前記空調衣服を着用する作業者が、上記ネジ結合を簡単且つ短時間に迅速に行える。更に、洗濯時などには、上記空調衣服の取付孔から前記送風装置を、手早く容易に取り外すこともできる。従って、着用者が所要の作業を正確且つ能率良く安全に行うことが可能となる。
【０００８】
尚、前記空調衣服用送風装置を構成するファンを含む前記内側筒体部、外側筒体部、およびリング体には、例えば、ＡＢＳ樹脂などの合成樹脂を射出成形した成形体が用いられるが、これに限定されるものではない。
また、前記モータには、例えば、投入電力：約２〜６Ｗ、回転数：約４０００〜６６００ｒｐｍの直流（ＤＣ）モータが用いられる。
更に、前記ファンは、上記モータの収納部の外側を覆い且つ全体が円筒形を呈するスピナーの外周面から、放射状に突設された約６〜１０枚の羽根からなり、前記スピナーの径方向の視覚で先端側に行くに連れて幅が徐々に広くなるように変形した台形状を呈し、軸方向の断面が緩い円弧形状であり、且つ該円弧形状がスピナー側の基端部から先端側に向かって緩やかに捻れている。
加えて、前記モータには、前記空調衣服の内側に縫い付けた内ポケット中に収納されたリチウム電池などの電源から、ケーブルを介して電力が給電される。
【０００９】
また、本考案には、前記リング体は、軸方向に沿った断面が互いに離れた一対のＬ字形状を呈し、円筒形のリング本体の内周面に前記多条ネジのネジ山およびネジ谷が刻設されていると共に、前記外側筒体部のフランジと前記衣服に穿設した取付孔の内周縁を挟む径方向に沿った円環片における前記フランジと対向する環状面には、前記ネジ結合の際にネジ込む方向に沿って傾斜し且つ連続した複数の凹凸条が円環状に形成されている、空調衣服用送風装置（請求項２）も含まれる。
これによれば、前記効果（１）に加えて、更に以下の効果（２）が得られる。
（２）前記内側筒体部に固定された前記外側筒体部のフランジと対向する前記リング体の円環片における環状面に、前記ネジ結合の際にネジ込む方向に沿って傾斜し且つ連続した複数の凹凸条が円環状に形成されている。そのため、例えば、衣服側の取付孔の内径と、該取付孔内に取り付けられる送風装置の外径とがほぼ同等であっても、上記フランジと円環片との間に挟まれる空調衣服に設けた取付孔の内周縁付近を、内外両面から緊密に挟み込むことができる。従って、上記衣服の取付孔付近における不用意な外気の流入漏れを確実に阻止することができる。
【００１０】
更に、本考案には、前記外側筒体部のフランジにおける外周縁には、該外周縁の円周方向に複数の凸部が突設され、該凸部の外形は、該外側筒体の軸方向に沿った視覚において、一対の鈍角の角部と、該一対の鈍角の角部同士の間に位置し、且つ上記フランジの中心側に凸となるアール辺とを有している、空調衣服用送風装置（請求項３）も含まれる。
これによれば、前記各効果に加えて、更に以下の効果（３）が得られる。
（３）前記外側筒体部のフランジにおける外周縁に複数の凸部が円周方向に沿って突設されていることにより、前記内側筒体部を固定した外側筒体部を、片手側の各指先で掴んだ際に、各指先の腹側面が各凸部のアール辺ごとにフィットするので、前記衣服の取付孔内に上記外側筒体部を外側から容易に挿入できると共に、前記衣服の内側に用意した前記リング体とのネジ込み操作中も、各指先を痛めることなく、スムーズに前記ネジ込み作業を行うことができる。更に、洗濯時などにおいても、指先を痛めずに手早く衣服から取り外すこともできる。
【００１１】
また、本考案には、前記外側筒体部は、前記内側筒体部に内設された前記ファンのスピナーとの間に空間を介して離間した頂部と、該頂部から上記内側筒体部の外側に固定される筒周部と、該筒周部と前記頂部との間を接続し且つ複数の吸気孔を有する外格子状部とを備えており、上記頂部を含む外格子状部は、当該外側筒体部の径方向に沿った視覚が円錐形状あるいは富士山形状を呈する、空調衣服用送風装置（請求項４）も含まれる。
更に、本考案には、前記外側筒体部の頂部と前記ファンのスピナーの先端面との間に位置する空間は、軸方向の距離が少なくとも５ｍｍ以上である、空調衣服用送風装置（請求項５）も含まれる。
これらによれば、前記各効果に加えて、更に以下の効果（４）が得られる。
（４）前記外側筒体部の頂部は、前記内側筒体部に内設された前記ファンのスピナーとの間に、少なくとも軸方向が５ｍｍ以上の空間を介して離間しているので、前記衣服の外側から外気を上記ファン側に大量に流入させられ、且つ高速回転するファンの騒音を抑制可能となる。従って、着用者の下着（肌着など）と前記空調衣服との間に、多くの外気を送給可能でき、且つ静粛性を保つことができる。
尚、上記空間における内側および外側筒体部の軸方向に沿った距離は、望ましくは６ｍｍ、より望ましくは８ｍｍ以上（但し、上限は、１ｃｍ以下）である。
【００１２】
加えて、本考案には、前記内側筒体部は、全体がドーム形状を呈し、該ドーム形状の頂部と前記多条ネジが外側面に刻設された筒周部との間に、複数の送気孔を有する内格子状部を有し、且つ前記頂部の内側に軸方向に沿って形成された前記モータの収納部とを有すると共に、該収納部から径方向に延びた給電用のコネクタの外側に隣接するように、上記頂部から径方向沿ってガード片が延びている、空調衣服用送風装置（請求項６）も含まれる。
これによれば、前記各効果に加えて、更に以下の効果（５）が得られる。
（５）前記内側筒体部において、前記モータの収納部から径方向に延びた給電用のコネクタの外側に隣接するように、前記頂部から径方向沿ってガード片が延びているので、例えば、不用意な外力や着用者の不用意な動きなどによって、上記コネクタに接続されていた給電用ケーブルのプラグが抜け出る事態を確実に阻止することができる。従って、所要の作業を快適な状態で安定して行ない得る。
尚、前記コネクタは、例えば、コネクタピンとコネクタ凹み電極とからなり、前記プラグは、凹孔の中心電極とこれを囲む円筒形状の周辺電極とからなる。
また、前記コネクタの外側とは、着用者の身体側（内側）である。
【００１３】
一方、本考案の空調衣服（請求項７）は、前記空調衣服用送風装置を、前記空調衣服の布地に設けた前記取付孔に取り付けてなる、ことを特徴とする。
これによれば、前記効果（１）乃至（５）を奏する空調衣服を確実に提供することができるので、該衣服の着用者が所要の作業を能率良く快適且つ安全に行うことが容易となる（以下、効果（６）と称する）。
尚、前記空調衣服は、主に上着を対象とし、該上着の後ろ見頃における左右の両脇腹付近に開設した一対の取付孔に前記送風装置が個別に取り付けられる。この場合、２つの前記モータと前記電池との間は、分岐ケーブルで接続される。
また、空調衣服の生地は、例えば、ポリエステル（以下、ＰＥと称する）からなり、該生地には、通気性をなくすか極少とするコーティングが施されている。
【図面の簡単な説明】
【００１４】
【図１】（Ａ）は本考案による空調衣服の前身頃側からの概略図、（Ｂ）は前記空調衣服の後ろ身頃側からの概略図。
【図２】（Ａ）は図１（Ｂ）中における本考案の空調衣服用送風装置付近の概略を示す垂直断面図、（Ｂ）は前記（Ａ）の部分拡大図。
【図３】上記空調衣服用送風装置を構成する外側筒体部、内側筒体部、およびリング体をこれらの軸方向に沿って配列して示した斜視図。
【図４】上記リング体におけるフランジの軸方向に沿った部分拡大図。
【図５】空調衣服用送風装置の図２（Ｂ）とは径方向で異なる位置における部分拡大断面図。
【考案を実施するための形態】
【００１５】
以下において、本考案を実施するための形態について説明する。
尚、以下の説明において、空調衣服１を挟んで、該衣服１の着用者の身体側を内側と称し、且つ前記衣服１よりも外側の位置を外側と称するものとする。
図１（Ａ）は、本考案による空調衣服１の前身頃２側からの概略図、図１（Ｂ）は前記空調衣服１の後ろ身頃（背中）８側からの概略図である。
上記空調衣服１は、図１（Ａ），（Ｂ）に示すように、前記ＰＥなどからなる生地を縫合した前見頃２、後ろ身頃（背中側）８、および左右一対の袖部６により構成され、前見頃２における襟４の直下にはファスナー（図示せず）などにより開閉される合わせ部３が位置している。また、前身頃２および後ろ身頃８の裾側には、着用者の胴体腰部に密着する伸縮部５が設けられ、各袖６の先端側には、着用者の手首に密着する伸縮可能な袖先部７が設けられている。
更に、後ろ身頃８における左右の脇腹付近には、側面視が円形である一対の取付孔９が個別に開設され、該取付孔９内ごとに次述する空調衣服用送風装置（以下、単に送風装置と称する）１０が取り付けられている。
尚、前見頃２の内側には、内パケット２ａが設けられ、該内パケット２ａ中には、送風装置１０のモータＭに電力を給電するリチウム電池３６などの電源が挿入されている。
【００１６】
図２（Ａ）は、図１（Ｂ）中における前記送風装置１０の付近を示す垂直断面図、図２（Ｂ）は前記（Ａ）の部分拡大図、図３は、上記送風装置１０を構成する外側筒体部４０、内側筒体部１１、およびリング体５０を示す斜視図である。
上記送風装置１０は、図２（Ａ），（Ｂ）に示すように、前記空調衣服１の後ろ身頃８に設けた一対の取付孔９ごとに個別に取り付けられている。前記取付孔９は、その内周縁に沿って後ろ身頃８の生地を一定の幅で折り返し、且つ縫い付けた折り返し部８ａを有している。尚、該折り返し部８ａは、後ろ身頃８の生地とは別体でも良く、各々が記取付孔９の内周縁に沿って折り返し、且つ各々の内側に穴付き円盤形の補強板（図示せず）を抱えて縫い付けられていても良い。
【００１７】
また、図２（Ａ），（Ｂ）に示すように、前記送風装置１０を構成する内側筒体部１１と外側筒体部４０とは、内側筒体部１１の筒周部１２の内側に、外側筒体部４０の筒周部４１を挿入した状態で、予め、図示しない係止手段で互いに固定されている。前記係止手段には、例えば、一方の筒周部に設けた凹部（図示せず）内に他方の筒周部に設けた径方向に沿って弾性変形が可能な爪片（図示せず）を挿入する２組以上の凹部および爪片の組み合わせが例示される。
上記筒周部１２の内側に、外側筒体部４０の筒周部４１を挿入して該外側筒体部４０を固定した上記内側筒体部１１は、図２（Ｂ）に示すように、前記取付孔９内に空調衣服１の外側から水平方向に沿って挿入され、該内側筒体部１１の筒周部１２の外側面に刻設された２条ネジ（多条ネジ）１３に対し、予め、上記衣服１の内側に用意したリング体５０のリング本体５２の内周面５４に刻設された２条ネジ（多条ネジ）５３をネジ結合することによって、前記リング体５０と共に、取付孔９の内側に取り付けられている。
【００１８】
より詳しくは、前記外側筒体部４０は、ＡＢＳ樹脂の一体物からなり、図２（Ｂ），図３の左側に示すように、円筒形の筒周部４１と、該筒周部４１との外側端部から径方向に沿って一体の幅で延びた円環状のフランジ４２と、該フランジ４２の内側の中心部に位置する円盤形状の頂部４６と、前記フランジ４２の内周縁から前記頂部４６に向かって延び、且つ前記２条ネジ５３のネジ込み方向に沿って湾曲した複数の円弧片４７と、上記頂部４６の外側に同心円状に配置され、且つ前記円弧片４７と個別に交差する複数の円環片４８とを備えている。該複数の円環片４８と上記複数の円弧片４７とは、外格子状部（４７，４８）を構成し、これらの間には、外気を取り入れるための複数の吸気孔４９が位置している。
図２（Ａ），（Ｂ）に示すように、上記頂部４６と、複数ずつの上記円弧片４７および円環片４８からなる外格子状部とは、外側筒体部４０の径方向に沿った視覚（側面視）で、全体の外径が円錐形状あるいは富士山形状を呈している。
【００１９】
また、図３の左側と図４に示すように、前記外側筒体部４０のフランジ４２の外周縁には、該外周縁の円周方向に沿って、８つ（複数）の凸部４３がほぽ等間隔で且つ放射状に突設されている。該凸部４３は、該外側筒体部４０の軸方向に沿った視覚において、一対の鈍角である角部４４と、該一対の角部４４同士の間に位置し且つ上記フランジ４２の中心側に凸となるアール辺４５とにより構成される外形を有している。
上記アール辺４５の曲線は、大人の指先の腹部の半径とほぼ同じか、該半径よりも若干大きく設定されている。そのため、前記内側筒体部１１を固定した外側筒体部４０を、片手側の各指先で掴んだ際に、各指先の腹面側が各凸部４３のアール辺４５ごとにフィットして接触させることができる。しかも、その際に値前記複数の円弧片４７が、上記片手における掌の甲にネジ込み方向に沿って接触するため、前記ネジ込み操作を一層スムーズで且つ安全に行うことが可能となる。
【００２０】
更に、前記内側筒体部１１も、ＡＢＳ樹脂の一体物からなり、図２（Ｂ）および図３の中央側に示すように、全体がドーム形状を呈し、該ドーム形状の頂側に位置する円盤状の頂部２４と、外側面に前記２条ネジ１３が刻設された円筒形状の筒周部１２との間には、放射状に延びた複数の径片２０と、前記頂部２４の外側を同心円状に囲み且つ前記径片２０と個別に交差する複数の円環片２１とが形成され、これらの間には、複数の送気孔２２が個別に位置している。上記複数の径片２０と複数の円環片２１とは、内格子条部（２０，２１）を構成している。
また、前記頂部２４の内側には、円筒形状の収納室１４が一体に形成され、該収納室１４内にはモータＭを収納されている。該モータＭの回転軸は、前記外側筒体部４０の頂部４６側に突出し、該回転軸には、図２（Ａ），（Ｂ）に示すように、全体が円筒形状を呈するスピナー１６の先端面が固定されている。
【００２１】
前記スピナー１６の円筒部１７の外周面には、図３の中央に示すように、合計７枚の羽根１８からなるファンが放射状に突設されている。前記羽根１８は、上記スピナー１６の軸方向の視覚で、先端側に行くに連れて幅が徐々に広くなる変形した台形状を呈し、径方向の断面が緩い円弧形状であり、且つ該円弧形状がスピナー１６側の基端部から先端側に向かって緩やかに捻れている。各羽根１８の回転方向の下流側の先端部には、該羽根１８の下流側に突出したウィングレッド１９が設けられ、先端側における不要な振動を乱流作用により抑制している。
尚、上記スピナー１６および７枚の羽根１８を有するファンも、ＡＢＳ樹脂の一体物からなる。尚また、上記ウィングレッド１９は、ボルテックスジェネレーター、あるいはタービュレーターとも称される。
更に、図２（Ｂ）に示すように、前記スピナー１６の先端面と、これに対向する前記外側筒体部４０の頂部４６との間には、上記スピナー１６の軸方向に沿った距離Ｌが約６〜９ｍｍ（５ｍｍ以上）の空間ｓが配置されている。該空間ｓを設けることにより、複数の前記吸気孔４９から大量の外気を取り込めると共に、高速回転するファン（羽根）１８による騒音の発生を抑制することが可能となる。
【００２２】
また、図５に示すように、前記内側筒体部１１のドーム形状の一部には、前記収納室１４から径方向に延びたコネクタピン（コネクタ）２９を内側に有する横壁２５を含む凹部２８が配置され、該凹部２８の外側には、前記頂部２４から径方向に延びたカバー片２６が、上記コネクタ２９に隣接するように突設されている。上記コネクタ２９には、前記リチウム電池３６などの電源に一端側のプラグが接続され、且つ他端側が二股とされた分岐ケーブル３４の先端ごとに位置するプラグ３２が接続される。これにより、前記モータＭに所要の電力が給電される。
尚、図５において、プラグ基体３０における上記ケーブル３４との接続部３３は、図示でプラグ基体３０の前後方向の何れか一方に位置する姿勢とされることで、上記プラグ３２とコネクタ２９とが接続される。
また、内側筒体部１１は、コネクタ２９や凹部２８を径方向に沿った任意の位置に配置し易くなっているので、前記電池３６と最短距離で接続可能とし得る。
【００２３】
加えて、前記リング体５０も、ＡＢＳ樹脂の一体物からなり、図２（Ｂ）および図３の右側に示すように、円筒形のリング本体５２と、該リング本体５２の内周面５４に刻設された２条ネジ（多条ネジ）５３と、前記リング本体５２の外側端から径方向に円環形に張り出した円環片５１と、該円環片５１における前記外側筒体部４０のフランジ４２と対向する円環面に形成された複数の凹凸条５６とを備えている。上記２条ネジ５３は、本リング体５０の射出成形技術上の理由によって、リング本体５２の内周面５４における円周方向に沿って、そのネジ山およびネジ谷からなる矩形状の範囲が２カ所〜４カ所に分散して刻設されている。
また、上記複数の凹凸条５６は、本リング体５０の径方向に沿った断面がほぼ鋸刃形状を呈し、上記２条ネジ５３を前記内側筒体部１１の２条ネジ１３とをネジ結合する際に、ネジ込む方向に沿って何れも湾曲して傾斜している。
【００２４】
前記のようなモータＭおよびファン（羽根）１８などを含む内側筒体部１１、外側筒体部４０、およびリング体５０によって、前記送風装置１０を構成するには、先ず、内側筒体部１１と外側筒体部４０とを、前記係止手段を含めて互いに軸方向に沿って連結した後、これら内側・外側筒体部１１，４０の大半部分を前記空調衣服１の外側から該衣服１の前記取付孔９内に挿入し、且つ外側筒体部４０の前記フランジ４２を取付孔９における外側の周縁に密着させる。
次に、前記リング体５０を空調衣服１の内側から外側筒体部４０と連結された内側筒体部１１の筒周部１２に近付け、上記リング体５０の２条ネジ５３と前記内側筒体部１１の２条ネジ１３とを互いにネジ結合する。この際、回転する側の２条ネジ５３を１回転する度に、非回転側の２条ネジ１３における２つのピッチを移動する、即ち、リング体５０を１回転させると、該リング体５０は、内側筒体部１１の筒周部１２の軸方向に沿って、２条ネジ１３の２ピッチ分移動する。従って、通常の１条ネジによるネジ込みに比べ、半分の回転操作でネジ結合できる。
【００２５】
その結果、前記図２（Ａ），（Ｂ）、図５に示したように、内側筒体部１１と連結された外側筒体部４０の前記フランジ４２と、リング体５０の円環片５１とによって、前記衣服１の取付孔９の内周縁が内外の両側から挟み込まれる。
しかも、前記ネジ込み操作に伴って、リング体５０の円環片５１に形成された複数の前記凹凸条５６が、前記取付孔９の内側に位置する布地に回転しつつ食い込むので、前記内側筒体部１１、外側筒体部４０、およびリング体５０により構成された前記送風装置１０を、衣服１の取付孔９を塞ぐ状態で該衣服１に強固に取り付けることができる。従って、取付孔９の内径と内側筒体部１１における周筒部１２の外径とがほぼ同じか、あるいは両者間に若干の差があっても、外気の流入漏れを生じることなく、一対の前記送風装置１０を前記取付孔９ごとに個別に簡単に取り付けられる。
【００２６】
更に、予め、前記衣服１の内ポケット２ａ中に挿入したリチウム電池３６から延びた分岐ケーブル３４の先端ごとに位置するプラグ３２を、前記送風装置１０ごとにおけるコネクタ２９に個別に接続した後、上記リチウム電池３６側あるいは上記ケーブル３４の中間に配置した図示しないスイッチを投入する。
その結果、前記ファンを構成する７枚の羽根１８が高速回転することによって、図２（Ａ）中の実線の矢印で示すように、外気を前記衣服１の外側から上記送風装置１０内に広角度で且つ大量（多風量）に吸引される。この際、前記スピナー１６と外側筒体部４０の頂部との間に、前記空間ｓが配設されていることで、大量の外気を効率良く上記送風装置１０内に吸引できると共に、各羽根１８による騒音の発生を抑制することが保証される。
【００２７】
前記吸引された大量の空気は、図２（Ａ）中の一点鎖線の矢印で示すように、前記高速回転する羽根１８によって、前記内側筒体部１１における複数の送気孔２２から、前記スピナー１６のほぼ径方向に沿って、前記衣服１と着用者の肌着ｈまたは身体ｈとの隙間に沿って、高圧力を伴って送給される。
そのため、前記衣服１の内側に沿って送給された上記空気は、図１（Ａ），（Ｂ）中の一点鎖線の矢印で示すように、衣服１の後ろ身頃８の全体に拡がって送られると共に、その一部は、両側の袖部６の内側や、前見頃２の内側にも送気される。この間において、着用者から発生した汗は、前記衣服１の内側に沿って、高圧力で且つ連続して送気される上記空気によって、発生後に直ちに蒸発する。
【００２８】
そして、前記汗の蒸発成分を含む空気は、主に前記衣服１の襟４と着用者の首との間から外部に排出される。尚、上記空気は、その他の部位からも外部ら排出される。また、上記衣服１の襟４の内側に沿って、予め、塑性変形が容易な棒材や帯材を縫い込んでおくことで、上記襟４の一部と着用者の首側の一部との間に、排気領域を配設しても良い。
以上において説明した前記送風装置１０によれば、前記効果（１）乃至（５）を確実に得られる。
また、前記送風装置１０を一対の前記取付孔９に装着した前記空調衣服１によれば、前記効果（１）乃至（５）を確実に得られるので、該衣服１の着用者が所要の作業を能率良く快適且つ安全に行うことが容易となる効果（６）を奏する。
更に、前記空調衣服１の取付孔９の内径と、送風装置１０の内側筒体部１１における２条ネジ１３のネジ山径とが、ほぼ同じで良いため、該送風装置１０の空調衣服１への取り付け時はもとより、洗濯時などの取り外しも容易に行える。
【００２９】
本考案は、以上において説明した形態に限定されるものではない。
例えば、前記内側筒体部１１とリング体５０とを互いにネジ結合する前記多条ネジ１３，５３は、互いに３条ネジ以上である形態としても良い。
また、前記内側筒体部１１、外側筒体部４０、リング体５０、およびスピナー１６を含むファン１８の材料には、前記ＡＢＳ樹脂に限らず、ポリプロピレンやポリエチレンなどの樹脂や、アルミニウム合金などの軽金属を適用しても良い。
更に、前記内側筒体部１１の内格子状部２０，２１は、該内側筒体部１１の径方向に沿った視覚において、前記頂部２４を含む全体が円錐形状、あるいは富士山形状を呈する形態としても良い。
【００３０】
また、前記外側筒体部４０の外格子状部４７，４８は、該外側筒体部４０の径方向に沿った視覚において、前記頂部４６を含む全体が円錐形状、あるいは緩やかなドーム形状を呈する形態としても良い。
更に、前記ファンを構成する羽根１８は、その全枚数が６枚、あるいは、８〜１０枚の何れかであっても良い。
加えて、前記空調衣服は、ズボンでも良く、その臀部側に設けた１つまたは２つ以上の取付孔ごとに前記送風装置１０を取り付けるようにした形態としても良い。
【産業上の利用可能性】
【００３１】
本考案によれば、衣服側の取付孔の内径と、該取付孔内に取付られる送風装置の外径とがほぼ同様であれば、前記取付孔の内周付近と、前記送風装置の外周部分との間における外気の漏れを確実に抑制できると共に、前記送風装置を上取付孔の内側に簡単且つ迅速に固定できる空調衣服用送風装置、およびこれを用いた空調衣服を確実に提供できる。
【符号の説明】
【００３２】
１……………空調衣服
８……………後ろ見頃（布地）
９……………取付孔
１０…………空調衣服用送風装置
１１…………内側筒体部
１２，４１…周筒部
１３，５３…２条ネジ（多条ネジ）
１６…………スピナー
１８…………羽根
２０，２１…内格子状部
２２…………送気孔
２４，４６…頂部
２６…………ガード片
２９…………コネクタ
４０…………外側筒体部
４２…………フランジ
４３…………凸部
４４…………角部
４５…………アール辺
４７，４８…外格子状部
４９…………吸気孔
５０…………リング体
５１…………円環片
５２…………リング本体
５４…………内周面
５６…………凹凸条
Ｍ……………モータ
ｓ……………空間
Ｌ……………距離
【図１】
0003217531.tif 000003
【図２】
0003217531.tif 000004
【図３】
0003217531.tif 000005
【図４】
0003217531.tif 000006
【図５】
0003217531.tif 000007
【手続補正書】
【提出日】平成30年6月8日(2018.6.8)
【手続補正１】
【補正対象書類名】実用新案登録請求の範囲
【補正対象項目名】全文
【補正方法】変更
【補正の内容】
【実用新案登録請求の範囲】
【請求項１】
空調衣服(１)の布地(８)に設けた取付孔(９)に取り付けられ、且つ前記衣服(１)の内側に外気を送風して着用者の発汗を抑制するための空調衣服用送風装置(１０)であって、
モータ(Ｍ)および該モータ(Ｍ)により回転するファン(１８)を内設した内側筒体部(１１)と、
上記内側筒体部(１１)の外側に取り付けられ、外気導入用の吸気孔(４９)を有し且つ外周面に径方向に突出するフランジ(４２)を有する外側筒体部(４０)と、
全体が円環状を呈し且つ上記内側筒体部(１１)の外周面にネジ結合されるリング体(５０)と、を備え、
上記内側筒体部(１１)と上記リング体(５０)とのネジ結合は、２条以上の多条ネジ(１３，５３)によって成されている、
ことを特徴とする空調衣服用送風装置(１０)。
【請求項２】
前記リング体(５０)は、軸方向に沿った断面が互いに離れた一対のＬ字形状を呈し、円筒形のリング本体(５２)の内周面(５４)に前記多条ネジ(５３)のネジ山およびネジ谷が刻設されていると共に、前記外側筒体部(４０)のフランジ(４２)と前記衣服(１)に穿設した取付孔(９)の内周縁を挟む径方向に沿った円環片(５１)における前記フランジ(４２)と対向する環状面には、前記ネジ結合の際にネジ込む方向に沿って傾斜し且つ連続した複数の凹凸条(５６)が円環状に形成されている、
ことを特徴とする請求項１に記載の空調衣服用送風装置(１０)。
【請求項３】
前記外側筒体部(４０)のフランジ(４２)における外周縁には、該外周縁の円周方向に複数の凸部(４３)が突設され、該凸部(４３)の外形は、該外側筒体部(４０)の軸方向に沿った視覚において、一対の鈍角の角部(４４)と、該一対の鈍角の角部(４４)同士の間に位置し、且つ上記フランジ(４２)の中心側に凸となるアール辺(４５)とを有している、
ことを特徴とする請求項１または２に記載の空調衣服用送風装置(１０)。
【請求項４】
前記外側筒体部(４０)は、前記内側筒体部(１１)に内設された前記ファン(１８)のスピナー(１６)との間に空間(ｓ)を介して離間した頂部(４６)と、該頂部(４６)から上記内側筒体部(１１)の外側に固定される筒周部(４１)と、該筒周部(４１)と前記頂部(４６)との間を接続し且つ複数の吸気孔(４９)を有する外格子状部(４７，４８)とを備えており、上記頂部(４６)を含む外格子状部(４７，４８)は、当該外側筒体部(４０)の径方向に沿った視覚が円錐形状あるいは富士山形状を呈する、
ことを特徴とする請求項１乃至３の何れか一項に記載の空調衣服用送風装置(１０)。
【請求項５】
前記外側筒体部(４０)の頂部(４６)と前記ファン(１８)のスピナー(１６)の先端面との間に位置する空間(ｓ)は、軸方向の距離(Ｌ)が少なくとも５ｍｍ以上である、
ことを特徴とする請求項４に記載の空調衣服用送風装置(１０)。
【請求項６】
前記内側筒体部(１１)は、全体がドーム形状を呈し、該ドーム形状の頂部(２４)と前記多条ネジ(１３)が外側面に刻設された筒周部(１２)との間に、複数の送気孔(２２)を有する内格子状部(２０，２１)を有し、且つ前記頂部(２４)の内側に軸方向に沿って形成された前記モータ(Ｍ)の収納部(１４)とを有すると共に、該収納部(１４)から径方向に延びた給電用のコネクタ(２９)の外側に隣接するように、上記頂部(２４)から径方向沿ってガード片(２６)が延びている、
ことを特徴とする請求項１乃至５の何れか一項に記載の空調衣服用送風装置(１０)。
【請求項７】
請求項１乃至６の何れか一項に記載の空調衣服用送風装置(１０)を、前記空調衣服(１)の布地(８)に設けた前記取付孔(９)に取り付けてなる、
ことを特徴とする空調衣服(１)。
【手続補正２】
【補正対象書類名】明細書
【補正対象項目名】０００６
【補正方法】変更
【補正の内容】
【０００６】
本考案は、前記課題を解決するため、前記送風装置において、フランジを有する外側筒体部を固定した内側筒体部の外周面と、前記外側筒体部を包囲するリング体の内周面とに対し、互いにネジ結合する２条以上の多条ネジを刻設する、ことに着想して成されたものである。
即ち、本考案の空調衣服用送風装置（請求項１）は、空調衣服の布地に設けた取付孔に取り付けられ、且つ前記衣服の内側に外気を送風して着用者の発汗を抑制するための空調衣服用送風装置であって、モータおよび該モータにより回転するファンを内設した内側筒体部と、該内側筒体部の外側に取り付けられ、外気導入用の吸気孔を有し且つ外周面に径方向に突出するフランジを有する外側筒体部と、全体が円環状を呈し且つ上記内側筒体の外周面にネジ結合されるリング体と、を備え、上記内側筒体部と前記リング体とのネジ結合は、２条以上の多条ネジによって成されている、ことを特徴とする。
【手続補正３】
【補正対象書類名】明細書
【補正対象項目名】００１０
【補正方法】変更
【補正の内容】
【００１０】
更に、本考案には、前記外側筒体部のフランジにおける外周縁には、該外周縁の円周方向に複数の凸部が突設され、該凸部の外形は、該外側筒体部の軸方向に沿った視覚において、一対の鈍角の角部と、該一対の鈍角の角部同士の間に位置し、且つ上記フランジの中心側に凸となるアール辺とを有している、空調衣服用送風装置（請求項３）も含まれる。
これによれば、前記各効果に加えて、更に以下の効果（３）が得られる。
（３）前記外側筒体部のフランジにおける外周縁に複数の凸部が円周方向に沿って突設されていることにより、前記内側筒体部を固定した外側筒体部を、片手側の各指先で掴んだ際に、各指先の腹側面が各凸部のアール辺ごとにフィットするので、前記衣服の取付孔内に上記外側筒体部を外側から容易に挿入できると共に、前記衣服の内側に用意した前記リング体とのネジ込み操作中も、各指先を痛めることなく、スムーズに前記ネジ込み作業を行うことができる。更に、洗濯時などにおいても、指先を痛めずに手早く衣服から取り外すこともできる。